(57)【特許請求の範囲】
【請求項１】
ジェットポンプ作用により洗浄水を便器本体に供給して洗浄する水洗大便器装置であって、
汚物を受けるボウル部と、このボウル部に洗浄水を導くための導水路とを備えた便器本体と、
この便器本体に供給する洗浄水を貯水する貯水タンクと、
少なくとも一部が上記貯水タンク内で水没した状態で配置されたジェットポンプユニットと、を有し、
上記ジェットポンプユニットは、その下方に吸引口を形成する入口部から斜め上方に延びる上昇管部と、この上昇管部の上端付近から上記便器本体の導水路に接続される出口部まで下方に延びる下降管部とを形成するスロート管と、
このスロート管の吸引口に向けて洗浄水を噴射してジェットポンプ作用を誘発させるジェットノズルと、
給水源から給水された洗浄水を上記ジェットノズルに供給する給水部と、を備え、
上記給水部は、上記給水源から上記ジェットノズルへの洗浄水の供給を給止水する給水弁と、上記貯水タンク内に貯水された洗浄水の水位に応じて上下動することにより上記給水弁を開閉するフロートと、上記給水弁と上記ジェットノズルとを接続するように設けられた給水路と、この給水路に設けられた弁機構部と、を備え、
この弁機構部は、上記給水路内の給水の流量が第１の所定流量以下であるときに、上記ジェットノズルから上記第１の所定流量よりも小さい第２の所定流量以下の洗浄水を吐出させるように上記給水路内の給水の一部を上記貯水タンク内へ流出させることを特徴とする水洗大便器装置。
【請求項２】
上記給水路は、上記給水弁と上記ジェットノズルとを接続する主流路と、この主流路から分岐して上記主流路内の給水の一部を上記便器本体の導水路の入口側に補給水として流出させる分岐路と、を備え、上記弁機構部は、上記主流路に設けられている請求項１記載の水洗大便器装置。
【請求項３】
上記弁機構部は、上記主流路と上記分岐路との分岐部よりも上流側の上記主流路に設けられている請求項２記載の水洗大便器装置。
【請求項４】
上記弁機構部は、上記分岐部と一体的に設けられている請求項３記載の水洗大便器装置。
【請求項５】
上記弁機構部は、上記弁機構部内の給水の一部を上記貯水タンク内へ逃がす逃がし通路と、この逃がし通路を開閉する逃がし弁と、この逃がし弁を上記逃がし通路を開放する方向に付勢する付勢部材と、を備えており、上記逃がし弁は、上記主流路から上記弁機構部内に流入した給水の流量が上記第１の所定流量以下である場合には、上記ジェットノズルから上記第２の所定流量以下の洗浄水を吐出させるように上記逃がし通路を開放し、上記主流路から上記弁機構部内に流入した給水の流量が上記第１の所定流量よりも大きい場合には、上記逃がし通路を閉鎖する請求項２乃至４の何れか１項に記載の水洗大便器装置。
【請求項６】
上記弁機構部は、更に、上記逃がし弁に設けられて上記逃がし弁と共に上記逃がし通路を開閉するシール部材を備えている請求項５記載の水洗大便器装置。
【発明の詳細な説明】
【技術分野】
【０００１】
本発明は、水洗大便器装置に係り、特に、ジェットポンプ作用により洗浄水を便器本体に供給して洗浄する水洗大便器装置に関する。
【背景技術】
【０００２】
従来から、例えば、特許文献１に記載されているように、勢いの強い水を便器のボウル面に継続的に供給することができるジェットポンプ機構が設けられた水洗大便器装置が知られている。
このような水洗大便器装置においては、水道管等の給水源と直結した給水路に給水弁が設けられ、この給水弁は、貯水タンク内の水位に応じて上下動するフロートを備えており、このフロートの作動により給水路を開放してジェットノズルに給水するようになっている。また、ジェットノズルは、ジェットポンプ作用を誘発させて洗浄水を吐水して、貯水タンク内の水をスロート管内に巻き込むことにより大流量の洗浄水を便器へ供給している。
さらに、便器洗浄後のタンク給水の際には、切替弁がスロート管内の流路を遮断して、ノズルから供給された洗浄水を切替弁の表面にて跳ね返して貯水タンク内へと洗浄水の供給を行い、タンク貯水を行っている。
また、このような水洗大便器装置以外にも、タンク給水中に、給水弁とノズルとの間の流路に別途設けられた補給水供給用の分岐路からオーバーフロー管に向けて吐水することにより、便器へのリフィールを供給しているものもある。
また、これらの従来の水洗大便器装置においては、便器の据付時等に給水源からの給水を止水するため止水栓が給水弁の上流側の給水路に設けられており、通常使用時は開状態に保持されている。この止水栓の内部流路には、フィルターが設けられており、開状態の止水栓を通過する洗浄水は、このフィルターを通過して給水弁に供給されるようになっている。
【先行技術文献】
【特許文献】
【０００３】
【特許文献１】特許３３１２６２５号公報
【発明の概要】
【発明が解決しようとする課題】
【０００４】
しかしながら、上述した特許文献１に記載されている従来の水洗大便器装置においては、経年変化によって、止水栓のフィルターが閉塞すること等によって、ジェットノズルから吐水される流量が特定の流量（例えば、１０Ｌ／ｍｉｎ）以下になることがある。これにより、貯水タンク内の水をスロート管内へ巻き込む勢いが弱くなるため、ジェットノズルからの吐水量と、ジェットノズルの吐水と巻き込んだ水がスロート管を乗り越えて便器へ排出される水量が一致した瞬間、水位が安定する。この結果、切替弁がスロート管内の流路を遮断するように切り替わらず、貯水タンク内の水位が平衡状態となり、給水弁も閉弁することなく吐水が継続される便器洗浄時の止水不良が発生するという問題がある。
【０００５】
そこで、本発明は、上述した従来技術の問題を解決するためになされたものであり、ジェットノズルに給水する給水路内の給水の流量が特定の流量以下であるときに、給水弁が閉弁せずに吐水が継続される便器洗浄時の止水不良を防ぐことができる水洗大便器装置を提供することを目的としている。
【課題を解決するための手段】
【０００６】
上記の目的を達成するために、本発明は、ジェットポンプ作用により洗浄水を便器本体に供給して洗浄する水洗大便器装置であって、汚物を受けるボウル部と、このボウル部に洗浄水を導くための導水路とを備えた便器本体と、この便器本体に供給する洗浄水を貯水する貯水タンクと、少なくとも一部が上記貯水タンク内で水没した状態で配置されたジェットポンプユニットと、を有し、上記ジェットポンプユニットは、その下方に吸引口を形成する入口部から斜め上方に延びる上昇管部と、この上昇管部の上端付近から上記便器本体の導水路に接続される出口部まで下方に延びる下降管部とを形成するスロート管と、このスロート管の吸引口に向けて洗浄水を噴射してジェットポンプ作用を誘発させるジェットノズルと、給水源から給水された洗浄水を上記ジェットノズルに供給する給水部と、を備え、上記給水部は、上記給水源から上記ジェットノズルへの洗浄水の供給を給止水する給水弁と、上記貯水タンク内に貯水された洗浄水の水位に応じて上下動することにより上記給水弁を開閉するフロートと、上記給水弁と上記ジェットノズルとを接続するように設けられた給水路と、この給水路に設けられた弁機構部と、を備え、この弁機構部は、上記給水路内の給水の流量が第１の所定流量以下であるときに、上記ジェットノズルから上記第１の所定流量よりも小さい第２の所定流量以下の洗浄水を吐出させるように上記給水路内の給水の一部を上記貯水タンク内へ流出させることを特徴としている。
このように構成された本発明においては、給水弁とジェットノズルとを接続するように設けられた給水路内の給水の流量が第１の所定流量以下であるときに、給水路に設けられた弁機構部が給水路内の給水の一部を貯水タンク内へ流出させることにより、ジェットノズルからスロート管の吸引口に向けて吐出される洗浄水の流量を、第１の所定流量よりも小さい第２の所定流量以下の比較的小さい流量に設定することができる。したがって、ジェットノズルから吐出されてスロート管の入口部からスロート管内に流入した洗浄水は、ジェットポンプ作用を誘発させる程度の勢いがなく、スロート管の上昇管部を乗り越えることができなくなり、貯水タンク内に貯水される。よって、貯水タンク内の水位を確実に上昇させることにより給水部のフロートを上昇させて、給水弁を確実に閉弁させることができる。また、給水路内の給水の流量が第１の所定流量以下であるときに、ジェットノズルからスロート管の入口部に流入する洗浄水の流入量と、スロート管の出口部から便器本体の導水路に流出する洗浄水の流出量とが一致することにより貯水タンク内の水位が平衡状態に維持されることを防ぐことができるため、給水弁が閉弁せずに吐水が継続される便器洗浄時の止水不良を防ぐことができる。
【０００７】
本発明において、好ましくは、上記給水路は、上記給水弁と上記ジェットノズルとを接続する主流路と、この主流路から分岐して上記主流路内の給水の一部を上記便器本体の導水路の入口側に補給水として流出させる分岐路と、を備え、上記弁機構部は、上記主流路に設けられている。
このように構成された本発明においては、給水路が、給水弁とジェットノズルとを接続する主流路と、この主流路から分岐して主流路内の給水の一部を便器本体の導水路の入口側に補給水として流出させる分岐路とを備えており、弁機構部が、主流路に設けられていることにより、給水路の主流路内の給水の流量が第１の所定流量以下であるときに、ジェットノズルから第１の所定流量よりも小さい第２の所定流量以下の洗浄水を吐出させるように給水路の主流路内の給水の一部を貯水タンク内へ流出させることができ、ジェットノズルからスロート管の吸引口に向けて吐出される洗浄水の流量を、第１の所定流量よりも小さい第２の所定流量以下の比較的小さい流量に確実に設定することができる。したがって、ジェットノズルから吐出されてスロート管の入口部からスロート管内に流入した洗浄水は、ジェットポンプ作用を誘発させる程度の勢いがなく、スロート管の上昇管部を乗り越えることができなくなり、貯水タンク内に貯水されため、貯水タンク内の水位を確実に上昇させることにより、給水弁をより確実に閉弁させることができ、便器洗浄時の止水不良を効果的に防ぐことができる。
【０００８】
本発明において、好ましくは、上記弁機構部は、上記主流路と上記分岐路との分岐部よりも上流側の上記主流路に設けられている。
このように構成された本発明においては、弁機構部が、主流路と分岐路との分岐部よりも上流側の主流路に設けられていることにより、給水路の分岐部よりも上流側の主流路内の給水の流量が第１の所定流量以下であるときに、給水路の主流路内の給水を分岐部から分岐路へ分流させる前に、給水路の分岐部よりも上流側の主流路内の給水の流量全体のうちの一定の割合の流量を確実に貯水タンク内へ流出させることができる。その後、弁機構部を通過して給水路の分岐部に到達した給水は、分岐部の下流側の主流路からジェットノズルへ流れる一方、分岐路から便器本体の導水路の入口側に補給水として分流するため、ジェットノズルからスロート管の吸引口に向けて吐出される洗浄水の流量を、第１の所定流量よりも小さい第２の所定流量以下の比較的小さい流量により確実に設定することができる。したがって、ジェットノズルから吐出されてスロート管の入口部からスロート管内に流入した洗浄水は、ジェットポンプ作用を誘発させる程度の勢いがなく、スロート管の上昇管部を乗り越えることができなくなり、貯水タンク内に貯水されるため、貯水タンク内の水位を確実に上昇させて、給水弁をより確実に閉弁させることができ、便器洗浄時の止水不良をより効果的に防ぐことができる。
【０００９】
本発明は、好ましくは、上記弁機構部は、上記分岐部と一体的に設けられている。
このように構成された本発明においては、弁機構部が、給水路の主流路と分岐路との分岐部と一体的に設けられていることにより、弁機構部を給水路に組み付ける際に、弁機構部を主流路と分岐路のそれぞれに対して容易に接続させることができ、組立性を向上させることができる。
【００１０】
本発明は、好ましくは、上記弁機構部は、上記弁機構部内の給水の一部を上記貯水タンク内へ逃がす逃がし通路と、この逃がし通路を開閉する逃がし弁と、この逃がし弁を上記逃がし通路を開放する方向に付勢する付勢部材と、を備えており、上記逃がし弁は、上記主流路から上記弁機構部内に流入した給水の流量が上記第１の所定流量以下である場合には、上記ジェットノズルから上記第２の所定流量以下の洗浄水を吐出させるように上記逃がし通路を開放し、上記主流路から上記弁機構部内に流入した給水の流量が上記第１の所定流量よりも大きい場合には、上記逃がし通路を閉鎖する。
このように構成された本発明においては、弁機構部が、弁機構部内の給水の一部を貯水タンク内へ逃がす逃がし通路と、この逃がし通路を開閉する逃がし弁と、この逃がし弁を逃がし通路を開放する方向に付勢する付勢部材とを備えており、主流路から弁機構部内に流入した給水の流量が第１の所定流量以下である場合には、逃がし弁が付勢部材の付勢力により逃がし通路を開放し、弁機構部内に流入した給水の一部を逃がし通路から貯水タンク内へ逃がすことができると共に、主流路を通過した給水をジェットノズルから第２の所定流量以下の洗浄水を吐出させることができる。したがって、ジェットノズルから吐出されてスロート管の入口部からスロート管内に流入した洗浄水は、ジェットポンプ作用を誘発させる程度の勢いがなく、スロート管の上昇管部を乗り越えることができなくなり、貯水タンク内に貯水されるため、貯水タンク内の水位を確実に上昇させて、給水弁をより確実に閉弁させることができ、便器洗浄時の止水不良をより効果的に防ぐことができる。一方、主流路から弁機構部内に流入した給水の流量が第１の所定流量よりも大きい場合には、弁機構部内の給水圧が付勢部材の付勢力を上回ることにより、逃がし弁が給水圧により閉弁する方向に移動して逃がし通路を閉鎖し、ジェットポンプ作用を誘発させる流量の給水をジェットノズルに安定して供給することができる。したがって、ジェットノズルがスロート管の吸引口に向けて洗浄水を噴射してジェットポンプ作用を誘発させて、スロート管の出口部から便器本体の導水路に洗浄水を供給し、安定した便器洗浄を行うことができる。
【００１１】
本発明は、好ましくは、上記弁機構部は、更に、上記逃がし弁に設けられて上記逃がし弁と共に上記逃がし通路を開閉するシール部材を備えている。
このように構成された本発明においては、弁機構部の逃がし弁にシール部材が設けられていることにより、主流路から弁機構部内に流入した給水の流量が第１の所定流量よりも大きい場合において、逃がし弁が逃がし通路を閉鎖した際に、確実に逃がし通路をシールすることができるため、逃がし通路から貯水タンク内に給水が漏れることなく、ジェットポンプ作用を誘発させる流量の給水をジェットノズルに安定して供給することができる。したがって、ジェットノズルがスロート管の吸引口に向けて洗浄水を噴射してジェットポンプ作用を誘発させて、スロート管の出口部から便器本体の導水路に洗浄水を供給し、安定した便器洗浄を行うことができる。
【発明の効果】
【００１２】
本発明の水洗大便器装置によれば、ジェットノズルに給水する給水路内の給水の流量が特定の流量以下であるときに、給水弁が閉弁せずに吐水が継続される便器洗浄時の止水不良を防ぐことができる。
【図面の簡単な説明】
【００１３】
【図１】本発明の一実施形態による水洗大便器装置を示す平面図である。
【図２】図１のＩＩ−ＩＩ線に沿って見た断面図である。
【図３】本発明の一実施形態による水洗大便器装置の洗浄水タンク装置の内部構造の概念図である。
【図４】本発明の一実施形態による水洗大便器装置の洗浄水タンク装置の内部構造を示す平面図である。
【図５】本発明の一実施形態による水洗大便器装置の洗浄水タンク装置の内部構造を示す正面図である。
【図６】本発明の一実施形態による水洗大便器装置の洗浄水タンク装置の内部構造を示す背面図である。
【図７】図４のＶＩＩ−ＶＩＩ線に沿って見た断面図である。
【図８】本発明の一実施形態による水洗大便器装置の洗浄水タンク装置の内部構造及びジェットポンプユニット内の流路の断面を示す概略断面図である。
【図９】本発明の一実施形態による水洗大便器装置の洗浄水タンク装置の逃がし弁装置を示す分解斜視図である。
【図１０】本発明の一実施形態による水洗大便器装置の洗浄水タンク装置の閉弁状態の逃がし弁装置の部分拡大断面図である。
【図１１】本発明の一実施形態による水洗大便器装置の洗浄水タンク装置の開弁状態の逃がし弁装置の部分拡大断面図である。
【発明を実施するための形態】
【００１４】
以下、添付図面を参照して、本発明の一実施形態による水洗大便器装置を説明する。
まず、図１及び図２により、本発明の一実施形態による水洗大便器装置の基本構造を説明する。
図１は、本発明の実施形態による水洗大便器装置を示す平面図であり、図２は、図１のＩＩ−ＩＩ線に沿って見た断面図である。
【００１５】
図１及び図２に示すように、本発明の一実施形態による水洗大便器装置１は、便器本体２と、この便器本体２に洗浄水を供給する洗浄水タンク装置４を備えている。水洗大便器装置１は、例えば、３．８リットル〜５．２リットルの洗浄水で洗浄する、節水型の洗い落とし式の水洗大便器である。
便器本体２は、その前方側に設けられたボウル部６と、ボウル部６の上縁に形成されたリム部８と、このリム部８の内周に形成された棚部１０と、を備えている。
また、便器本体２のボウル部６の底部には、トラップ排水路１２の入口１２ａが開口し、このトラップ排水路１２は、上方に延びる上昇管１２ｂと、下方に延びる下降管１２ｃを備えている。このトラップ排水路１２の形状から分かるように、本実施形態による水洗大便器装置１は、高さ方向の落差により汚物を排出する洗い落とし式便器である。
なお、本実施形態においては、洗い落とし式便器に適用した形態について説明するが、このような形態に限定されず、サイホン作用を利用してボウル部内の汚物を吸い込んで排水トラップ管路から一気に外部に排出する、いわゆる、サイホン式便器の形態等、他の水洗大便器の形態についても適用可能である。
【００１６】
つぎに、便器本体２は、洗浄水タンク装置４の排水口１４から排出される洗浄水が流入する導水路１６と、棚部１０の前方から見て左側中央に形成された第１リム吐水口１８と、前方から見て右側後方に形成された第２リム吐水口２０とを備えている。
また、導水路１６は、下流に向かって第１通水路２２と第２通水路２４に分岐し、導水路１６の洗浄水が第１通水路２２を経て第１リム吐水口１８に到達する一方、第２通水路２４を経て第２リム吐水口２０に到達し、洗浄水が、それぞれ、第１リム吐水口１８及び第２リム吐水口２０から吐水され、ボウル部６を洗浄し、汚物をトラップ排水路１２から排出するようになっている。
【００１７】
つぎに、図３〜図８により、洗浄水タンク装置４について詳細に説明する。
図３は、本発明の一実施形態による水洗大便器装置の洗浄水タンク装置を示す概念図である。また、図４は、本発明の一実施形態による水洗大便器装置の洗浄水タンク装置の内部構造を示す平面図であり、図５は、本発明の一実施形態による水洗大便器装置の洗浄水タンク装置の内部構造を示す正面図であり、図６は、本発明の一実施形態による水洗大便器装置の洗浄水タンク装置の内部構造を示す背面図である。さらに、図７は、図４のＶＩＩ−ＶＩＩ線に沿って見た断面図であり、図８は、本発明の一実施形態による水洗大便器装置の洗浄水タンク装置においてジェットポンプユニット内の流路の断面を示す概略断面図である。
なお、図３において、便宜上、図４及び図５に示す洗浄水タンク装置のジェットポンプユニットの内部構造の一部を省略すると共に、各構造のいくつかの配置についても、図４〜図７に示されたものと異なる配置に描かれている。
【００１８】
図３〜図８に示すように、洗浄水タンク装置４は、平面視において左右方向に長い扁平形状に形成されて洗浄水を貯水する貯水タンク２６と、水道管等の給水源（図示せず）から供給される洗浄水を貯水タンク２６に供給する一次側の給水管２８とを備えている。
また、洗浄水タンク装置４は、給水管２８の上端（下流側端部）に接続されて給水管２８から供給される洗浄水を給止水する給水弁装置３０を含むジェットポンプユニット３２と、使用者が手動操作により洗浄水の給水を行うための手動レバー３４とを備えている。
さらに、給水管２８の下端（上流端部）には、止水栓３５（図３参照）が設けられている。この止水栓３５は、水洗大便器装置１の据付時などに給水源（図示せず）からの給水を止水するためのものであり、通常使用時は開状態に保持されている。
【００１９】
また、ジェットポンプユニット３２は、給水弁装置３０から給水された給水が流れる二次側の給水管３６と、この給水管３６の下流側に配置されるスロート管３８と、給水管３６の下流側端部に接続されてスロート管３８に向けて洗浄水を噴射してジェットポンプ作用を誘発させるジェットノズル４０と、ジェットノズル４０から噴射される洗浄水が進行する流路方向をスロート管３８の内部方向に差し向ける流路からスロート管３８の外部方向に差し向ける流路に切り替える流路切替弁装置４２とを備えている。
【００２０】
一次側の給水管２８と給水弁装置３０との間には、給水弁装置３０に供給される洗浄水を定流量にする定流量弁４３（図３参照）が設けられている。
また、二次側の給水管３６と給水弁装置３０との間には、真空破壊弁４４が設けられており、この真空破壊弁４４は、外部から空気を吸入することにより、ジェットノズル４０までの給水管３６の流路内が負圧にならないようにするためのものである。
さらに、二次側の給水管３６の途中には、詳細は後述する逃がし弁装置４６が設けられている。この逃がし弁装置４６は、二次側の給水路３６内の逃がし弁装置４６に流入する給水の流量Ｑが所定流量Ｑ１（例えば、Ｑ１＝１０Ｌ／ｍｉｎ）以下であるときに、ジェットノズル４０から所定流量Ｑ１よりも小さい所定流量Ｑ２（例えば、Ｑ２＝８Ｌ／ｍｉｎ）以下の洗浄水を吐出させるように給水路３６内の給水の一部を貯水タンク２６内へ逃がすことができるようになっている。
一方、逃がし弁装置４６は、二次側の給水路３６内の逃がし弁装置４６を通過する給水の流量Ｑが、所定流量Ｑ１（例えば、Ｑ１＝１０Ｌ／ｍｉｎ）よりも大きい場合には、給水路３６内の給水の一部を貯水タンク２６内へ逃がさないようになっている。
【００２１】
また、給水弁装置３０は、図３に示すように、パイロット式ダイアフラム弁である主弁体４８と、この主弁体４８が着座する主弁座５０と、内部の圧力により主弁体４８を主弁座５０に対して移動させる圧力室５２とを備えており、主弁体４８が、主弁座５０に着座して止水する止水状態と主弁座５０から離間して給水する給水状態とを切り換えるようになっている。
図３に示すように、圧力室５２には、この圧力室５２の圧力を開放する第一穴５４及び第二穴５６と、上述した手動レバー３４における使用者の手動操作と連動して第一穴５４を開閉する第一パイロット弁５８と、貯水タンク２６内の洗浄水の水位に伴い上下動する給水フロート６０と、この給水フロートの上下動により第二穴５６を開閉する第二パイロット弁６２とが設けられている。
【００２２】
また、図３に示すように、主弁体４８には、ブリード穴（図示せず）が設けられており、止水状態のとき、ブリード穴（図示せず）により給水管２８の一次側流路Ａと圧力室５２の内部とが連通するようになっている。ここで、第一穴５４は、その開口面積が第二穴５６の開口面積よりも大きく形成されている。また、第一穴５４は、第二穴５６よりも、上方位置に形成されている。
【００２３】
第一パイロット弁５８は、駆動軸６４を介して手動レバー３４に接続され、使用者の手動レバー３４の手動操作により、第一穴５４を開閉するようになっている。ここで、手動レバー３４は、図５において、手前側（一方向）に回動操作させた場合には後述する大洗浄がなされ、奥側（他方向）に回動操作させた場合には小洗浄がなされるようになっている。
【００２４】
この給水弁装置３０は、止水状態では、第一穴５４及び第二穴５６は共に塞がれており、且つ、給水管２８の一次側流路Ａは圧力室５２とブリード穴（図示せず）を通じて連通しているため、一次側流路Ａと圧力室５２の水圧は同一の水圧（一次側流路圧力α）となる。また、二次側流路Ｂは大気開放され、主弁体４８に水圧が作用する面積の方が一次側流路Ａの面積よりも大きくなるため、主弁体４８は主弁座５０に押付けられて閉弁するようになっている。
【００２５】
給水弁装置３０において、第一穴５４及び/又は第二穴５６が、第一パイロット弁５８及び/又は第二パイロット弁６２により開放されると、圧力室５２から洗浄水が流出し、圧力室５２内の圧力が低下し、主弁体４８が主弁座５０から離れるように移動し、開弁し、吐水状態となるようになっている。
【００２６】
給水弁装置３０において、第一穴５４及び第二穴５６が第一パイロット弁５８及び第二パイロット弁６２により閉じられると、再度圧力室５２の圧力が一次側流路圧力αとなり、主弁体４８が主弁座５０に向けて移動し、最終的に閉弁された状態（止水状態）となる。
なお、このとき、一次側流路Ａの洗浄水が、圧力室５２内へブリード穴から少しずつ注入されるため、第一穴５４及び第二穴５６を塞いでから、所定時間遅れて、主弁体４８が閉弁状態（止水状態）となるようになっている。
【００２７】
つぎに、ジェットポンプユニット３２のスロート管３８は、下方から斜め上方に延びる上昇管部３８ａと、この上昇管部３８ａの上端付近から下方に延びる下降管部３８ｂとを備えており、概ね逆Ｖ字形状に形成されている。
また、スロート管３８の上昇管部３８ａの上流側端部（入口部）には、吸引口３８ｃが形成されており、この吸引口３８ｃは、貯水タンク２６内の下部に位置するようになっている。
さらに、スロート管３８の下降管部３８ｂの出口部３８ｄは、便器本体２の導水路１６と連通する排水口１４に接続されている。
また、スロート管３８の吸引口３８ｃに対向するように、ジェットノズル４０が配置され、スロート管３８の吸引口３８ｃとジェットノズル４０は、常時、貯水タンク２６内で水没した状態となっている。
【００２８】
つぎに、ジェットポンプユニット３２の流路切替弁装置４２は、便器洗浄後の貯水タンク２６内への給水を行う際に、ジェットノズル４０から噴射される洗浄水が進行する流路方向をスロート管３８の内部方向に差し向ける流路からスロート管３８の外部方向（貯水タンク２６内）に差し向ける流路に切り替える流路切替弁６６と、貯水タンク２６内に貯水された洗浄水の水位に応じて上下動することにより流路切替弁６６を作動させるフロート６８と、フロート６８と流路切替弁６６とを連結する連結部７０と、フロート６８を連結部７０に連結する取付け高さを上下方向に調整する調整機構部７２とを備えている。
【００２９】
また、ジェットポンプユニット３２の二次側の給水管３６内は、給水弁装置３０とジェットノズル４０との間を接続する主流路７４を形成している。
さらに、ジェットポンプユニット３２の二次側の給水管３６において、逃がし弁装置４６の下流側には、ジェットノズル４０を経由せずに便器本体２へ洗浄水を供給する補給水用の分岐路７６ａを形成する補給水用の分岐管７６が接続されている。この分岐管７６の下流側端部は、スロート管３８の下降管部３８ｂに隣接して設けられて上下方向に延びるオーバーフロー管７８に接続されている。このオーバーフロー管７８の下流側は、便器本体２の導水路１６と連通している。
【００３０】
ジェットポンプユニット３２は、ジェットノズル４０からスロート管３８の吸引口３８ｃに向けて高速の洗浄水を噴射し、このとき、ジェットノズル４０に近いスロート管３８内の吸引口３８ｃ近傍の空間が負圧となり、この負圧によりジェットポンプ作用（エジェクタ効果）を誘発させることにより、貯水タンク２６内の近傍の洗浄水を吸引し、この洗浄水とジェットノズル４０から噴出される洗浄水とが一緒になり、スロート管３８内を流れ、排水口１４を経て、便器本体２の導水路１６に供給されるようになっている。
すなわち、本明細書中に記載されている「ジェットポンプ作用」という用語については、ジェットノズルからスロート管の吸引口に向けて噴射される勢いのある洗浄水の流れ自体が、ポンプ等の他の機械要素に依存することなく、直接的にスロート管の吸引口の近傍等の周囲の洗浄水を引き込むような負圧を形成し、この負圧を利用してスロート管内に吸い込んだ貯水タンク内の洗浄水を便器本体側へ圧送する作用を意味している。
【００３１】
つぎに、貯水タンク２６内には、大洗浄及び小洗浄に必要な洗浄水量を切り換えるための大小洗浄切替機構８０が設けられている。この大小洗浄切替機構８０は、貯水タンク２６内をジェットノズル４０及びスロート管３８の吸引口３８ｃを取り囲む外側空間領域Ｒ１とこの外側空間領域Ｒ１よりも空間が小さい小空間領域Ｒ２との二つの空間領域Ｒ１，Ｒ２に区画する区画壁８２を備えている。
より具体的に説明すると、この区画壁８２は、上下方向に延びる壁面を形成し、その上方が開放されて前後方向及び左右方向の四方から取り囲んだカップ形状の小タンク８４を形成している。この小タンク８４は、貯水タンク２６内の前方且つ左寄りに配置されており、小タンク８４の内部には、小空間領域Ｒ２が平面視において貯水タンク２６の左右方向に長い扁平形状となるように形成されている。
【００３２】
また、図７に示すように、小タンク８４の後方側の区画壁（後側区画壁）８４ａには、前後方向に貫くようにほぼ左右方向に長い長方形形状の開口部８４ｂが形成されている。この開口部８４ｂには、大小切替弁８６が開閉可能に設けられており、この大小切替弁８６が開口部８４ｂを開閉することにより、ジェットポンプユニット３２を通じて便器本体２へ供給する洗浄水量を変更することができ、大洗浄と小洗浄とを切り替えることができるようになっている。
【００３３】
大小洗浄切替機構８０の大小切替弁８６は、鎖８８（図３参照）により駆動軸６４に接続されており、大洗浄を行うために、使用者により手動レバー３４が一方向に回動操作された場合には、駆動軸６４が回転しても、鎖８８はたるむだけで、大小切替弁８６は開いた状態のままとなり、大小洗浄切替機構８０が大洗浄状態となるようになっている。
一方、小洗浄を行うために、使用者により手動レバー３４が他方向に回動操作された場合には、鎖８８により大小切替弁８６が引き上げられ、大小切替弁８６が開口部８４ｂを閉じた状態となり、大小洗浄切替機構８０が小洗浄状態となるようになっている。
【００３４】
ここで、図３及び図５に示すように、貯水タンク２６内の水位ＷＬは、大洗浄が終了したときの貯水タンク２６内の領域Ｒ１，Ｒ２の双方の最低水位である死水水位ＷＬ１を示している。
また、図３及び図５に示すように、水位ＷＬ１は、図３及び図５に示すように、小洗浄が終了したときの貯水タンク２６内の領域Ｒ１のみの死水水位ＤＷＬにもなっており、これらの死水水位ＤＷＬである水位ＷＬ１は、区画壁８２の開口部８４ｂの上端よりも下方に位置している。
さらに、図３及び図５に示すように、水位ＷＬ２は、小洗浄が終了したときの貯水タンク２６内の領域Ｒ２の水位を示している。
また、水位ＷＬ３は、貯水タンク２６内に貯水される洗浄水の初期状態における止水水位であり、且つ大洗浄又は小洗浄後に給水弁装置３０により貯水タンク２６内に洗浄水が給水されその後給水が停止される満水水位である。
【００３５】
つぎに、図３、図４、図６、図８及び図９〜図１１を参照して、本実施形態の水洗大便器装置の逃がし弁装置の詳細について説明する。
図９は、本発明の一実施形態による水洗大便器装置の洗浄水タンク装置の逃がし弁装置を示す分解斜視図である。また、図１０は、本発明の一実施形態による水洗大便器装置の洗浄水タンク装置の閉弁状態の逃がし弁装置の部分拡大断面図である。さらに、図１１は、本発明の一実施形態による水洗大便器装置の洗浄水タンク装置の開弁状態の逃がし弁装置の部分拡大断面図である。
ここで、図１０及び図１１においては、逃がし弁装置の内部の洗浄水の流れを矢印で示している。
図３、図４、図６、図８及び図９〜図１１に示すように、本実施形態の水洗大便器装置１の逃がし弁装置４６は、貯水タンク２６内と連通する逃がし通路９０を形成する本体部材９２と、この本体部材９２内に収容される弁部材９４とを備えている。この弁部材９４は、上流側の給水管３６からの給水圧に応じて、本体部材９２の逃がし通路９０を開閉するようになっている。
【００３６】
また、逃がし弁装置４６は、弁部材９４における逃がし通路９０と対向する側の面に設けられて、弁部材９４が閉弁した状態で逃がし通路９０を密閉するシール部材であるパッキン９６を備えている。
【００３７】
さらに、逃がし弁装置４６は、弁部材９４の軸方向の下流側の外周面に同心状に取り付けられた圧縮コイルばね９８を備えている。この圧縮コイルばね９８は、弁部材９４が逃がし通路９０を開放する方向に付勢力ｆ１で付勢するようになっており、上流側の給水管３６からの給水圧による弁部材９４を押圧する力、すなわち、弁部材９４が逃がし通路９０を閉鎖する方向の押圧力ｆ２が圧縮コイルばね９４の付勢力ｆ１を上回ると、弁部材９４が逃がし通路９０を閉鎖するようになっている（図１０参照）。
一方、弁部材９４が逃がし通路９０を閉鎖する方向の押圧力ｆ２が圧縮コイルばね９４の付勢力ｆ１を下回ると、弁部材９４が逃がし通路９０を開放するようになっている（図１１参照）。
【００３８】
また、逃がし弁装置４６は、弁部材９４を軸方向上流側から保持し且つＯリング１００を介して本体部材９２のケーシング部９２ａに嵌合して取り付けられる保持部材１０２を備えている。
ここで、二次側の給水管３６は、給水弁装置３０と逃がし弁装置４６とを接続して第１主流路７４ａを形成する第１給水管３６ａと、逃がし弁装置４６とジェットノズル４０とを接続して第２主流路７４ｂを形成する第２給水管３６ｂとを備えており、保持部材１０２の上流側は、給水弁装置３０から逃がし弁装置４６まで延びる第１給水管３６ａ（第１主流路７４ａ）が接続される第１給水管用の接続部１０２ａを備えている。
【００３９】
さらに、図９に示すように、本体部材９２においては、逃がし通路９０を形成すると共に、圧縮コイルばね９８、パッキン９６、弁部材９４、保持部材１０２を内部に下流側から同一中心軸線Ａ１上に保持するケーシング部９２ａと、ジェットノズル４０に接続される第２給水管３６ｂ（第２主流路７４ｂ）が接続される第２給水管用の接続部９２ｂとを備えている。
また、本体部材９２は、ケーシング部９２ａから第２給水管用の接続部９２ｂまで軸方向下流側に延びるように形成されて且つその内部に主流路７４を形成する給水管部９２ｃと、この給水管部９２ｃの途中に形成されて補給水用の分岐管７６が接続される分岐管用の接続部９２ｄとを備えている。
本体部材９２の各部分９２ａ，９２ｂ，９２ｃ，９２ｄは、互いに一体に形成されており、特に、ケーシング部９２に形成されている逃がし通路９０は、分岐管用の接続部９２よりも上流側に位置している。
【００４０】
つぎに、図１０及び図１１に示すように、逃がし弁装置４６の本体部材９２は、圧縮コイルばね９８を保持するばね保持部９２ｅを備えており、このばね保持部９２ｅの外周側には、逃がし通路９０が形成されている。
また、逃がし弁装置４６の各部材９２，９４，９６，９８，１００，１０２を取り付けた状態では、保持部材１０２、弁部材９４及び本体部材９２の中央部をそれぞれ軸方向に貫く主流路７４が形成されている。
さらに、弁部材９４の外周面と保持部材１０２の内周面との隙間、及び本体部材９２の保持部９２ｅの内周面と弁部材９４の外周面との隙間のそれぞれは、弁部材９４及びパッキン９６が逃がし通路９０を開放している状態（図１１参照）で、逃がし通路９０と連通する通水路１０４，１０６を形成する。
【００４１】
また、逃がし弁装置４６は、第１給水管３６ａの第１主流路７４ａから逃がし弁装置４６内に流入した給水の流量Ｑが、所定流量Ｑ１（例えば、Ｑ１＝１０Ｌ／ｍｉｎ）よりも大きい場合には、弁部材９４及びパッキン９６が逃がし通路９０を閉鎖する方向の押圧力ｆ２が圧縮コイルばね９４の付勢力ｆ１を上回り、弁部材９４が逃がし通路９０を閉鎖するようになっている（図１０参照）。
これにより、逃がし弁装置４６の主流路７４内の給水は、逃がし通路９０から貯水タンク２６内に逃げることなく、弁部材９４の内周側の主流路７４から本体部材９２の給水管部９２ｃの主流路７４内を通過し、その大半が第２給水管３６ｂ内の主流路７４ｂからジェットノズル４０に供給されるようになっている。また、給水管部９２ｃの主流路７４内の全体流量の給水のうちの一部である一定流量の給水（例えば、給水管部９２ｃの主流路７４の全体流量の約２０％程度の給水）は、補給水用の分岐管７６の分岐路７６ａに分岐され、オーバーフロー管７８から便器本体２の導水路１６を経て、ボウル部６内に補給水として供給されるようになっている。
一方、第１給水管３６ａの第１主流路７４ａから逃がし弁装置４６内に流入した給水の流量Ｑが所定流量Ｑ１（例えば、Ｑ１＝１０Ｌ／ｍｉｎ）以下である場合には、弁部材９４及びパッキン９６が逃がし通路９０を閉鎖する方向の押圧力ｆ２が圧縮コイルばね９４の付勢力ｆ１を下回り、弁部材９４が逃がし通路９０を開放するようになっている。
これにより、逃がし弁装置４６の主流路７４内の給水の一部について、通水路１０４，１０６を経て、逃がし通路９０から貯水タンク２６内へ逃がすことができるため、弁部材９４の内周側の主流路７４から本体部材９２の給水管部９２ｃの主流路７４内を通過し、その大半の洗浄水が、第２給水管３６ｂ内の主流路７４ｂからジェットノズル４０に供給され、ジェットノズル４０から所定流量Ｑ１よりも小さい所定流量Ｑ２（例えば、Ｑ２＝８Ｌ／ｍｉｎ）以下の洗浄水として吐出されるようになっている。
また、給水管部９２ｃの主流路７４内の全体流量の給水のうちの一部である一定流量の給水（例えば、給水管部９２ｃの主流路７４の全体流量の約２０％程度の給水）は、補給水用の分岐管７６の分岐路７６ａに分岐され、オーバーフロー管７８から便器本体２の導水路１６を経て、ボウル部６内に補給水として供給されるようになっている。
【００４２】
つぎに、図１〜図１１を参照して、本実施形態による水洗大便器装置の動作（作用）について説明する。
まず、本実施形態による水洗大便器装置１による大洗浄時の動作について説明する。
図３及び図５に示すように、大洗浄開始前の洗浄水タンク装置４においては、貯水タンク２６内の水位が通常状態の水位ＷＬ３であり、給水弁装置３０において、第一穴５４及び第二穴５６はいずれも閉じられており、主弁体４８は主弁座５０上に着座し、止水状態となっている。
【００４３】
大洗浄が開始されるとき、使用者が手動レバー３４を一方向（大洗浄操作方向）に手動操作すると手動レバー３４に接続された駆動軸６４が回転し、給水弁装置３０の第一パイロット弁５８が作動して、第一穴５４が開く。このとき、第二穴５６は閉じられたままの状態である。駆動軸６４が回転しても、鎖８８はたるむだけで、大小切替弁８６は小タンク８４の開口部８４ｂを開いた状態のままであり、大小洗浄切替機構８０が大洗浄状態となる。
【００４４】
つぎに、手動レバー３４の操作により第一穴５４が開くと、給水弁装置３０の主弁体４８が主弁座５０から離間して給水する給水状態となる。これにより、図３、図４、図６及び図８に示すように、外部の給水源から供給される洗浄水は、止水栓３５、定流量弁４３、給水弁装置３０、及び第１給水管３６ａ、逃がし弁装置４６、及び第２給水管３６ｂを経てジェットノズル４０に到達し、ジェットノズル４０からスロート管３８の吸引口３８ｃに向けて洗浄水が噴射される。
このとき、スロート管３８の吸引口３８ｃ付近は負圧となるので、貯水タンク２６内に貯水された洗浄水もスロート管３８内に吸引され、洗浄水タンク装置４により外部から供給される洗浄水と貯水タンク２６内の洗浄水が一緒になってスロート管３８内を流れ、便器本体２に供給され、ボウル部６の洗浄が開始される。
同時に、図１０に示すように、逃がし弁装置４６においては、その内部の主流路７４及び通水路１０４内の洗浄水の水圧による押圧力ｆ２により弁部材９４及びパッキン９６が逃がし通路９０を閉鎖している。
また、図９及び図１０に示すように、逃がし弁装置４６においては、本体部材９２の給水管部９２ｃ内の主流路７４内の全体流量の給水のうちの一部である一定流量の給水（例えば、給水管部９２ｃの主流路７４の全体流量の約２０％程度の給水）が、補給水用の分岐管７６の分岐路７６ａに分岐され、オーバーフロー管７８から便器本体２の導水路１６を経て、ボウル部６内に補給水として供給される。
【００４５】
つぎに、図３及び図５に示すように、給水弁装置３０から主流路７４への洗浄水の供給が開始された直後においては、貯水タンク２６内に洗浄水が未だ高い水位ＷＬ３近くまで貯水された状態であるので、流路切替弁装置４２のフロート６８は上昇した状態であり、流路切替弁６６は下降し、ジェットノズル４０の前方側を開放している状態となっている。これにより、貯水タンク２６内に貯水された洗浄水は、ジェットノズル４０及びスロート管３８の吸引口３８ｃに向かう流れを形成している。
【００４６】
つぎに、図３及び図５に示すように、大洗浄が継続されると、貯水タンク２６内の水位ＷＬがさらに低下し、給水弁装置３０の給水フロート６０が下降する。給水フロート６０の下降が開始されると直ぐに第二パイロット弁６２が作動し、これにより、第二穴５６が開く。このとき、第一穴５４は閉鎖状態であるが、第二穴５６は、給水フロート６０が再び上昇する状態まで、開状態が保持される。
【００４７】
第二穴５６が開くと、第一穴５４の開閉状態に関係なく、給水弁装置３０における給水状態が継続することになる。第二穴５６が開くと、給水弁装置３０における給水状態が継続し、貯水タンク２６内の水位ＷＬが、大小洗浄切替機構８０の区画壁８２の開口部８４ｂの下端の水位ＷＬ１まで低下する。このとき、フロート６８も水位の低下に連動して水位ＷＬ１の位置まで下降する。
【００４８】
また、貯水タンク２６内の洗浄水の水位が低下するにつれ、フロート６８も下降し、流路切替弁６６が上昇する。これにより、スロート管３８の流路が流路切替弁６６に遮られ、ジェットノズル４０から噴射される洗浄水は、流路切替弁６６に衝突して、スロート管３８内を流れることなく、流路切替弁６６によって跳ねかえされる。
すなわち、流路切替弁６６によってジェットノズル４０から噴射される洗浄水は、その進行方向がスロート管３８の内部方向からスロート管３８の外部方向へと切り替えられ、貯水タンク２６内に貯水される。このとき、貯水タンク２６内の水位は上昇するが、流路切替弁６６が洗浄水の勢いにより移動できないので、フロート６８も上昇することなく、その位置に保持される。
また、給水弁装置３０の給水フロート６０は、貯水タンク２６の水位の上昇に連動して上昇するが、第二穴５６は開状態のままであり、それにより給水弁装置３０による給水状態が継続されることになる。
【００４９】
ここで、図９〜図１１に示すように、特に、逃がし弁装置４６においては、第１給水管３６ａの第１主流路７４ａから逃がし弁装置４６内に流入した給水の流量Ｑが、所定流量Ｑ１（例えば、Ｑ１＝１０Ｌ／ｍｉｎ）よりも大きい場合には、弁部材９４及びパッキン９６が逃がし通路９０を閉鎖する方向の押圧力ｆ２が圧縮コイルばね９４の付勢力ｆ１を上回り、弁部材９４が逃がし通路９０を閉鎖する（図１０参照）。
これにより、逃がし弁装置４６の主流路７４内の給水は、逃がし通路９０から貯水タンク２６内に逃げることなく、弁部材９４の内周側の主流路７４から本体部材９２の給水管部９２ｃの主流路７４内を通過し、その大半が第２給水管３６ｂ内の主流路７４ｂからジェットノズル４０に供給され、便器本体２への吐水が継続される。
また、給水管部９２ｃの主流路７４内の全体流量の給水のうちの一部である一定流量の給水（例えば、給水管部９２ｃの主流路７４の全体流量の約２０％程度の給水）は、補給水用の分岐管７６の分岐路７６ａに分岐され、オーバーフロー管７８から便器本体２の導水路１６を経て、ボウル部６内に補給水として供給される。
【００５０】
一方、第１給水管３６ａの第１主流路７４ａから逃がし弁装置４６内に流入した給水の流量Ｑが所定流量Ｑ１（例えば、Ｑ１＝１０Ｌ／ｍｉｎ）以下である場合には、弁部材９４及びパッキン９６が逃がし通路９０を閉鎖する方向の押圧力ｆ２が圧縮コイルばね９４の付勢力ｆ１を下回り、弁部材９４が逃がし通路９０を開放する（図１１参照）。
これにより、逃がし弁装置４６の主流路７４内の給水の一部について、通水路１０４，１０６を経て、逃がし通路９０から貯水タンク２６内へ逃がすことができるため、弁部材９４の内周側の主流路７４から本体部材９２の給水管部９２ｃの主流路７４内を通過し、その大半の洗浄水が、第２給水管３６ｂ内の主流路７４ｂからジェットノズル４０に供給され、ジェットノズル４０から所定流量Ｑ１よりも小さい所定流量Ｑ２（例えば、Ｑ２＝８Ｌ／ｍｉｎ）以下の洗浄水として吐出される。
したがって、ジェットノズル４０から吐出されてスロート管３８の吸引口３８ｃからスロート管３８内に流入した洗浄水は、ジェットポンプ作用を誘発させる程度の勢いがなく、スロート管３８の上昇管部３８ａを乗り越えることができなくなり、貯水タンク２６内に貯水されるため、貯水タンク２６内の水位を確実に上昇させる。
また、流路切替弁装置４２のフロート６８が上昇して、流路切替弁６６がジェットノズル４０から噴射される洗浄水が進行する流路方向をスロート管３８の内部方向に差し向ける流路からスロート管３８の外部方向（貯水タンク２６内）に差し向ける流路に切り替え、さらに、貯水タンク２６内の水位が上昇する。
【００５１】
そして、図３及び図５に示すように、貯水タンク２６の水位が上昇して水位ＷＬ３に達すると、給水弁装置３０の給水フロート６０も水位ＷＬ３まで上昇し、給水弁装置３０において、第二パイロット弁６２が作動し、第二穴５６が閉じられる。これにより、圧力室５２の圧力が一次側流路圧力αとなり、主弁体４８が主弁座５０に向けて移動し、最終的に閉弁された状態（止水状態）となる。給水弁装置３０が止水状態となり、給水が終了し、大洗浄が終了する。
【００５２】
つぎに、本実施形態による水洗大便器装置１による小洗浄時の動作を説明する。
使用者が手動レバー３４を他方向（小洗浄操作方向）に手動操作し、小洗浄が開始されたとき、手動レバー３４に接続された駆動軸６４が回転し、給水弁装置３０の第一パイロット弁５８が作動して、第一穴５４が開き、第二穴５６は閉じられたままの状態となる。
また、駆動軸６４が小洗浄操作方向に回転することにより、鎖８８が巻き上げられ、区画壁８２内外の差圧によって大小切替弁８６が小タンク８４の開口部８４ｂを閉じた状態となり、大小洗浄切替機構８０は小洗浄状態となる。
以後の小洗浄時の動作は、上述した大洗浄時の動作とほぼ共通しているため省略するが、小洗浄においては、大小洗浄切替機構８０の大小切替弁８６が開口部８４ｂを閉じた状態であるため、小タンク８４内の洗浄水は排出されずに貯水された状態を維持している。したがって、小洗浄においては、大洗浄時に比べて、低減した洗浄水量が便器本体２に供給されて洗浄が行われることになる。
【００５３】
上述した本発明の一実施形態による水洗大便器装置１によれば、給水弁装置３０とジェットノズル４０とを接続するように設けられた第１給水管３６ａの第１主流路７４ａ内の給水の流量Ｑが所定流量Ｑ１（例えば、Ｑ１＝１０Ｌ／ｍｉｎ）以下であるときに、第１給水管３６ａと第２給水管３６ｂとの間に設けられた逃がし弁装置４６が給水管３６の主流路７４内の給水の一部を貯水タンク２６内へ流出させることにより、ジェットノズル４０からスロート管３８の吸引口３８ｃに向けて吐出される洗浄水の流量を、所定流量Ｑ１（例えば、Ｑ１＝１０Ｌ／ｍｉｎ）よりも小さい所定流量Ｑ２（例えば、Ｑ２＝８Ｌ／ｍｉｎ）以下の比較的小さい流量に設定することができる。
したがって、ジェットノズル４０から吐出されてスロート管３８の吸引口３８ｃからスロート管３８内に流入した洗浄水は、ジェットポンプ作用を誘発させる程度の勢いがなく、スロート管３８の上昇管部３８ａを乗り越えることができなくなり、貯水タンク２６内に貯水される。
この結果、流路切替弁装置４２のフロート６８が上昇して、流路切替弁６６がジェットノズル４０から噴射される洗浄水が進行する流路方向をスロート管３８の内部方向に差し向ける流路からスロート管３８の外部方向（貯水タンク２６内）に差し向ける流路に切り替え、さらに、貯水タンク２６内の水位が上昇する。これにより、給水弁装置３０の給水フロート６０が上昇して、給水弁装置３０の主弁体４８をより確実に閉弁させることができる。
また、給水路３６内の給水の流量が所定流量Ｑ１（例えば、Ｑ１＝１０Ｌ／ｍｉｎ）以下であるときに、ジェットノズル４０からスロート管３８の吸引口３８ｃに流入する洗浄水の流入量と、スロート管３８の出口部３８ｄから排水口１４を経て便器本体２の導水路１６に流出する洗浄水の流出量とが一致することにより貯水タンク２６内の水位が平衡状態に維持されることを防ぐことができるため、給水弁装置３０の主弁体４８が閉弁せずに便器本体２に吐水が継続される便器洗浄時の止水不良を防ぐことができる。
【００５４】
また、本実施形態による水洗大便器装置１によれば、給水管３６の給水路が、給水弁装置３０とジェットノズル４０とを接続する主流路７４と、この主流路７４から分岐して主流路７４内の給水の一部を便器本体２の導水路１６の入口側に補給水として流出させる分岐路７６ａとを備えており、逃がし弁装置４６が、給水管３６の主流路７４に設けられていることにより、給水管３６の第１主流路７４ａ内の給水の流量Ｑが所定流量Ｑ１（例えば、Ｑ１＝１０Ｌ／ｍｉｎ）以下であるときに、ジェットノズル４０から所定流量Ｑ１（例えば、Ｑ１＝１０Ｌ／ｍｉｎ）よりも小さい所定流量Ｑ２（例えば、Ｑ２＝８Ｌ／ｍｉｎ）以下の洗浄水を吐出させるように給水管３６の第１主流路７４ａ内の給水の一部を逃がし通路９０から貯水タンク２６内へ流出させることができ、ジェットノズル４０からスロート管３８の吸引口３８ｃに向けて吐出される洗浄水の流量を、所定流量Ｑ１（例えば、Ｑ１＝１０Ｌ／ｍｉｎ）よりも小さい所定流量Ｑ２（例えば、Ｑ２＝８Ｌ／ｍｉｎ）以下の比較的小さい流量に確実に設定することができる。
したがって、ジェットノズル４０から吐出されてスロート管３８の吸引口３８ｃからスロート管３８内に流入した洗浄水は、ジェットポンプ作用を誘発させる程度の勢いがなく、スロート管３８の上昇管部３８ａを乗り越えることができなくなり、貯水タンク２６内に貯水されるため、貯水タンク２６内の水位を確実に上昇させることにより、給水弁装置３０の主弁体４８をより確実に閉弁させることができ、便器洗浄時の止水不良を効果的に防ぐことができる。
【００５５】
さらに、本実施形態による水洗大便器装置１によれば、逃がし弁装置４６の逃がし通路９０が、本体部材９２の分岐管用の接続部９２ｄよりも上流側に設けられていることにより、給水管３６の第１主流路７４ａ内の給水の流量Ｑが所定流量Ｑ１（例えば、Ｑ１＝１０Ｌ／ｍｉｎ）以下であるときに、給水管３６の主流路７４内の給水を逃がし弁装置４６の本体部材９２の分岐管用の接続部９２ｄから補給水用の分岐管７６の分岐路７６ａへ分流させる前に、第１主流路７４ａ内の給水の流量全体のうちの一定の割合の流量を逃がし通路９０から確実に貯水タンク２６内へ流出させることができる。
その後、逃がし弁装置４６の分岐管用の接続部９２ｄに到達した給水は、その下流側の第２主流路７４ｂからジェットノズル４０へ流れる一方、分岐路７６ａからオーバーフロー管７８を経て排水口１４から便器本体２の導水路１６に補給水として分流するため、ジェットノズル４０からスロート管３８の吸引口３８ｃに向けて吐出される洗浄水の流量を、所定流量Ｑ１（例えば、Ｑ１＝１０Ｌ／ｍｉｎ）よりも小さい所定流量Ｑ２（例えば、Ｑ２＝８Ｌ／ｍｉｎ）以下の比較的小さい流量により確実に設定することができる。
したがって、ジェットノズル４０から吐出されてスロート管３８の吸引口３８ｃからスロート管３８内に流入した洗浄水は、ジェットポンプ作用を誘発させる程度の勢いがなく、スロート管３８の上昇管部３８ａを乗り越えることができなくなり、貯水タンク２６内に貯水されるため、貯水タンク２６内の水位を確実に上昇させることができる。
この結果、流路切替弁装置４２のフロート６８が上昇して、流路切替弁６６がジェットノズル４０から噴射される洗浄水が進行する流路方向をスロート管３８の内部方向に差し向ける流路からスロート管３８の外部方向（貯水タンク２６内）に差し向ける流路に切り替え、さらに、貯水タンク２６内の水位が上昇する。これにより、給水弁装置３０の給水フロート６０が上昇して、給水弁装置３０の主弁体４８をより確実に閉弁させることができ、便器洗浄時の止水不良をより効果的に防ぐことができる。
【００５６】
また、本実施形態による水洗大便器装置１によれば、逃がし弁装置４６の本体部材９２において、ケーシング部９２ａ、分岐管用の接続部９２ｄ、給水管部９２ｃ、及び分岐管用の接続部９２ｄの各部が互いに一体的に形成されていることにより、給水管３６ａ，３６ｂ及び補給水用の分岐管７６に対して逃がし弁装置４６に組み付ける際に、逃がし弁装置４６を給水管３６ａ，３６ｂ及び分岐管７６のそれぞれに対して容易に接続させることができ、組立性を向上させることができる。
【００５７】
さらに、本実施形態による水洗大便器装置１によれば、逃がし弁装置４６が、その内部の給水の一部を貯水タンク２６内へ逃がす逃がし通路９０と、この逃がし通路９０を開閉する弁部材９４と、この弁部材９４を逃がし通路９０を開放する方向に付勢する圧縮コイルばね９８とを備えており、第１給水管３６ａの第１主流路７４ａから逃がし弁装置４６に流入した給水の流量Ｑが所定流量Ｑ１（例えば、Ｑ１＝１０Ｌ／ｍｉｎ）以下である場合には、弁部材９４が逃がし通路９０を閉鎖する方向の押圧力ｆ２が圧縮コイルばね９４の付勢力ｆ１を上回り、逃がし通路９０を開放する。これにより、逃がし弁装置４６の主流路７４内の給水の一部について、通水路１０４，１０６を経て、逃がし通路９０から貯水タンク２６内へ逃がすことができるため、弁部材９４の内周側の主流路７４から本体部材９２の給水管部９２ｃの主流路７４内を通過し、その大半の洗浄水が、第２給水管３６ｂ内の主流路７４ｂからジェットノズル４０に供給され、ジェットノズル４０から所定流量Ｑ１よりも小さい所定流量Ｑ２（例えば、Ｑ２＝８Ｌ／ｍｉｎ）以下の洗浄水として吐出される。
この結果、ジェットノズル４０から吐出されてスロート管３８の吸引口３８ｃからスロート管３８内に流入した洗浄水は、ジェットポンプ作用を誘発させる程度の勢いがなく、スロート管３８の上昇管部３８ａを乗り越えることができなくなり、貯水タンク２６内に貯水されるため、貯水タンク２６内の水位を確実に上昇させて、給水弁装置３０の主弁体４８をより確実に閉弁させることができ、便器洗浄時の止水不良を効果的に防ぐことができる。
一方、第１給水管３６ａの第１主流路７４ａから逃がし弁装置４６に流入した給水の流量Ｑが所定流量Ｑ１（例えば、Ｑ１＝１０Ｌ／ｍｉｎ）よりも大きい場合には、上流側の給水管３６からの給水圧による弁部材９４を押圧する力（弁部材９４が逃がし通路９０を閉鎖する方向の押圧力ｆ２）が圧縮コイルばね９４の付勢力ｆ１を上回ることにより、弁部材９４が給水圧により閉弁する方向に移動して逃がし通路９０を閉鎖し、ジェットポンプ作用を誘発させる流量の給水をジェットノズルに安定して供給することができる。したがって、ジェットノズル４０がスロート管３８の吸引口３８ｃに向けて洗浄水を噴射してジェットポンプ作用を誘発させて、スロート管３８の出口部３８ｄから便器本体２の導水路１６に洗浄水を供給し、安定した便器洗浄を行うことができる。
【００５８】
また、本実施形態による水洗大便器装置１によれば、逃がし弁装置４６の弁部材９４にパッキン９６が設けられていることにより、第１給水管３６ａの第１主流路７４ａから逃がし弁装置４６に流入した給水の流量Ｑが所定流量Ｑ１（例えば、Ｑ１＝１０Ｌ／ｍｉｎ）よりも大きい場合において、弁部材９４及びパッキン９６が逃がし通路９０を閉鎖した際に、確実に逃がし通路９０をシールすることができる。よって、逃がし通路９０から貯水タンク２６内に給水が漏れることなく、ジェットポンプ作用を誘発させる流量Ｑの給水をジェットノズル４０に安定して供給することができる。
したがって、ジェットノズル４０がスロート管３８の吸引口３８ｃに向けて洗浄水を噴射してジェットポンプ作用を誘発させて、スロート管３８の出口部３８ｃから便器本体２の導水路１６に洗浄水を供給し、安定した便器洗浄を行うことができる。
【００５９】
なお、上述した本実施形態の水洗大便器装置１においては、逃がし弁装置４６を給水管３６の補給水用の分岐管７６との分岐部よりも上流側の給水管３６に設けた形態について説明したが、このような形態に限られず、逃がし弁装置４６が給水弁装置３０とジェットノズル４０との間の給水管３６に設けられていればよく、給水管３６と補給水用の分岐管７６との分岐部よりも下流側の給水管３６に逃がし弁装置４６が設けられていてもよい。
【符号の説明】
【００６０】
１      水洗大便器装置
２      便器本体
４      洗浄水タンク装置
６      ボウル部
８      リム部
１０      棚部
１２      トラップ排水路
１２ａ    入口
１２ｃ    下降管
１２ｂ    上昇管
１４      排水口
１６      導水路
１８      リム吐水口
２０      リム吐水口
２２      第１通水路
２４      第２通水路
２６      貯水タンク
２８      一次側の給水管
３０      給水弁装置（給水部、給水弁）
３２      ジェットポンプユニット
３４      手動レバー
３５      止水栓
３６      二次側の給水管（給水部）
３６ａ    第１給水管
３６ｂ    第２給水管
３８      スロート管
３８ａ    上昇管部
３８ｂ    下降管部
３８ｃ    吸引口（スロート管の入口部）
３８ｄ    スロート管の下降管部の出口部
４０      ジェットノズル
４０ａ    ジェットノズル端部
４２      流路切替弁装置
４３      定流量弁
４４      真空破壊弁
４６      逃がし弁装置（弁機構部）
４８      主弁体（給水弁）
５０      主弁座
５２      圧力室
５４      第一穴
５６      第二穴
５８      第一パイロット弁
６０      給水フロート（フロート）
６２      第二パイロット弁
６４      駆動軸
６６      流路切替弁
６８      フロート
７０      連結部
７２      調整機構部
７４      主流路
７４ａ    第１主流路
７４ｂ    第２主流路
７６      補給水用の分岐管
７６ａ    分岐路
７８      オーバーフロー管
８０      大小洗浄切替機構
８２      区画壁
８４      小タンク
８４ａ    区画壁
８４ｂ    開口部
８６      大小切替弁
８８      鎖
９０      逃がし通路
９２      逃がし弁装置の本体部材
９２ａ    本体部材のケーシング部
９２ｂ    本体部材の第２給水管用の接続部
９２ｃ    本体部材の給水管部
９２ｄ    本体部材の分岐管用の接続部（分岐部）
９２ｅ    本体部材のばね保持部
９４      弁部材（逃がし弁）
９６      パッキン（シール部材）
９８      圧縮コイルばね
１００      Ｏリング
１０２      保持部材
１０２ａ    第１給水管用の接続部
１０４      通水路
１０６      通水路
Ａ      一次側流路
Ｂ      二次側流路
Ａ１    中心軸線
Ｂ      二次側流路
ｆ１    付勢力
ｆ２    押圧力
Ｒ１    外側空間領域
Ｒ２    小空間領域
ＷＬ    水位
ＤＷＬ    死水水位
ＷＬ１    死水水位
ＷＬ２    水位
ＷＬ３    止水水位（満水水位）
Ｑ        流量
Ｑ１      流量
Ｑ２      流量
α        一次側流路圧力
【図１】
0006544574.tif 000002
【図２】
0006544574.tif 000003
【図３】
0006544574.tif 000004
【図４】
0006544574.tif 000005
【図５】
0006544574.tif 000006
【図６】
0006544574.tif 000007
【図７】
0006544574.tif 000008
【図８】
0006544574.tif 000009
【図９】
0006544574.tif 000010
【図１０】
0006544574.tif 000011
【図１１】
0006544574.tif 000012